(57)【要約】【課題】たとえば誤読が発生し難く読取率の高いバーコードを所望の品位でプリントすることのできるインクジェットプリントシステム。【解決手段】インクジェット方式にしたがって記録媒体（１０）に情報（１１）をプリントするためのインクジェットプリンタ（１）と、記録媒体にプリントすべき情報に関するプリントデータをインクジェットプリンタに供給するための情報処理装置（２）とを備えている。情報処理装置は、記録媒体のタイプとインクのタイプとインクのにじみ太り率との関係を定義するテーブル（３）を有し、インクのにじみ太りの影響を補償するためにテーブルを参照してにじみ太り率に応じてプリントデータを補正し、補正されたプリントデータをインクジェットプリンタに供給する。【選択図】  図１
2004291401.tif 000002
【特許請求の範囲】
【請求項１】
インクジェット方式にしたがって記録媒体に情報をプリントするためのインクジェットプリンタと、
前記記録媒体にプリントすべき情報に関するプリントデータを前記インクジェットプリンタに供給するための情報処理装置とを備え、
前記情報処理装置は、記録媒体のタイプとインクのタイプとインクのにじみ太り率との関係を定義するテーブルを有し、インクのにじみ太りの影響を補償するために前記テーブルを参照して前記にじみ太り率に応じてプリントデータを補正し、補正されたプリントデータを前記インクジェットプリンタに供給することを特徴とするインクジェットプリントシステム。
【請求項２】
前記記録媒体にプリントすべき情報はバーコードであり、
前記情報処理装置は、前記にじみ太り率に応じて前記バーコードを構成する各バーの幅寸法を補正し、補正された幅寸法情報を含むプリントデータを前記インクジェットプリンタに供給することを特徴とする請求項１に記載のインクジェットプリントシステム。
【請求項３】
インクジェット方式にしたがって記録媒体に情報をプリントするインクジェットプリント方法において、
記録媒体のタイプとインクのタイプとインクのにじみ太り率との関係を含むテーブルを作成し、
インクのにじみ太りの影響を補償するために前記テーブルを参照して前記にじみ太り率に応じてプリントデータを補正し、
補正されたプリントデータに基づいて前記記録媒体に情報をプリントすることを特徴とするインクジェットプリント方法。
【請求項４】
前記にじみ太り率に応じてバーコードを構成する各バーの幅寸法を補正し、
補正された幅寸法に関する情報を含むプリントデータに基づいて前記記録媒体にバーコードをプリントすることを特徴とする請求項３に記載のインクジェットプリント方法。
【発明の詳細な説明】
【０００１】
【発明の属する技術分野】
本発明は、インクジェットプリントシステムおよび方法に関する。
【０００２】
【従来の技術】
従来、たとえば処理すべき各帳票に所定の情報を示すバーコードをプリント（印字および印画）し、バーコードリーダを用いて当該バーコードを読み取り、読み取ったバーコードを当該情報に変換することにより各帳票を効率的に処理することが行われている。
【０００３】
【発明が解決しようとする課題】
この場合、インクジェットプリンタを用いてバーコードをプリントすると、インクと記録媒体との相性により、インクが記録媒体に浸透する前にあるいはインクが乾燥する前に記録媒体の表面を流れてしまい、いわゆるインクのにじみ太りが発生することがある。図４は、バーコードにおけるインクのにじみ太りの影響を模式的に説明する図である。
【０００４】
図４に示すように、インクのにじみ太りが発生すると、所定の規格にしたがってＷ０の幅寸法（バーの配列方向に沿った寸法）に形成されるべきバー４１が、結果的には規格の幅寸法Ｗ０よりも大きい幅寸法Ｗ１を有するバー４２として形成されることになる。その結果、各バーの幅寸法が規格よりも大きくなり且つ各スペースの幅寸法が規格よりも小さくなるので、バーコードの誤読が発生し易くなり、ひいてはバーコードの読取率が低下するという不都合があった。
【０００５】
本発明は、前述の課題に鑑みてなされたものであり、たとえば誤読が発生し難く読取率の高いバーコードを所望の品位でプリントすることのできるインクジェットプリントシステムおよび方法を提供することを目的とする。
【０００６】
【課題を解決するための手段】
前記課題を解決するために、本発明の第１形態では、インクジェット方式にしたがって記録媒体に情報をプリントするためのインクジェットプリンタと、
前記記録媒体にプリントすべき情報に関するプリントデータを前記インクジェットプリンタに供給するための情報処理装置とを備え、
前記情報処理装置は、記録媒体のタイプとインクのタイプとインクのにじみ太り率との関係を定義するテーブルを有し、インクのにじみ太りの影響を補償するために前記テーブルを参照して前記にじみ太り率に応じてプリントデータを補正し、補正されたプリントデータを前記インクジェットプリンタに供給することを特徴とするインクジェットプリントシステムを提供する。
【０００７】
第１形態の好ましい態様によれば、前記記録媒体にプリントすべき情報はバーコードであり、前記情報処理装置は、前記にじみ太り率に応じて前記バーコードを構成する各バーの幅寸法を補正し、補正された幅寸法情報を含むプリントデータを前記インクジェットプリンタに供給する。
【０００８】
本発明の第２形態では、インクジェット方式にしたがって記録媒体に情報をプリントするインクジェットプリント方法において、
記録媒体のタイプとインクのタイプとインクのにじみ太り率との関係を含むテーブルを作成し、
インクのにじみ太りの影響を補償するために前記テーブルを参照して前記にじみ太り率に応じてプリントデータを補正し、
補正されたプリントデータに基づいて前記記録媒体に情報をプリントすることを特徴とするインクジェットプリント方法を提供する。
【０００９】
第２形態の好ましい態様によれば、前記にじみ太り率に応じてバーコードを構成する各バーの幅寸法を補正し、補正された幅寸法に関する情報を含むプリントデータに基づいて前記記録媒体にバーコードをプリントする。
【００１０】
【発明の実施の形態】
本発明の実施形態を、添付図面に基づいて説明する。
図１は、本発明の実施形態にかかるインクジェットプリントシステムの構成を概略的に示す図である。また、図２は、図１のシステムを構成する情報処理装置が有するテーブルの内容を概略的に示す図である。さらに、図３は、本実施形態の基本的な作用を説明する図である。
【００１１】
図１を参照すると、本実施形態のインクジェットプリントシステムは、インクジェットプリンタ１と、インクジェットプリンタ１の動作を制御するためのパーソナルコンピュータのような情報処理装置２とを備えている。インクジェットプリンタ１は、たとえば所定方向に沿って搬送される上質紙のような記録媒体１０に対して、たとえばバーコード１１のような情報を順次プリントする。
【００１２】
一方、情報処理装置２は、記録媒体１０にプリントすべき情報、すなわちバーコード１１に関するプリントデータをインクジェットプリンタ１に供給する。そして、情報処理装置２は、随時アクセス可能な参照テーブルとして、記録媒体１０のタイプと、インクのタイプと、インクのにじみ太り率との関係を定義するテーブル３を有する。
【００１３】
具体的には、図２に示すテーブル３の内容を参照すると、記録媒体１０のタイプは、記録媒体１０の材質（上質紙、マットコート紙など）および連量（７０ｋｇ、１１０ｋｇなど：所定サイズ１０００枚当りの重量）などに依存する。また、インクのタイプは、インクの色（黒など）および乾燥・浸透の形態などに依存する。なお、インクのにじみ太り率は、図４において（Ｗ１−Ｗ０）／Ｗ０で定義される比率であって、記録媒体１０のタイプおよびインクのタイプに基づいて定まる量である。
【００１４】
ちなみに、図２を参照すると、上質紙７０ｋｇの記録媒体１０に対して通常タイプの黒インクを用いてバーコードをプリントする場合、インクのにじみ太り率は５％である。したがって、従来技術によれば、所定の規格にしたがってＷｏの幅寸法に形成されるべきバーが、インクのにじみ太りの影響を受けて、実際にはＷｏ×１．０５の幅寸法に形成されることになる。
【００１５】
そこで、本実施形態では、情報処理装置２が、インクのにじみ太りの影響を補償するために、テーブル３を参照してにじみ太り率に応じて記録媒体１０にプリントすべきバーコード１１に関するプリントデータを補正し、補正されたプリントデータをインクジェットプリンタ１に供給する。インクジェットプリンタ１は、情報処理装置２からの補正されたプリントデータに基づいて、記録媒体１０にバーコード１１をプリントする。
【００１６】
すなわち、本実施形態では、インクのにじみ太りの影響を補償するために、バーコードを構成する各バーの幅寸法をにじみ太り率に応じて補正し、補正された幅寸法に関する情報を含むプリントデータに基づいて、記録媒体１０にバーコード１１をプリントする。具体的には、図３において、規格にしたがって幅寸法がＷｏになるように形成されるべき１つのバー１１ａに着目すると、テーブル３を参照して、このバー１１ａの規格幅寸法Ｗｏをインクのにじみ太り率に応じて幅寸法Ｗｃに補正する。
【００１７】
このとき、にじみ太り率が例えば５％である場合、Ｗｃ×１．０５＝Ｗｏの関係を満たすように補正幅寸法Ｗｃが決定される。同様に、バーコード１１を構成する他のバーの規格幅寸法Ｗｏをインクのにじみ太り率に応じて補正する。こうして、補正幅寸法Ｗｃに関する情報を含むプリントデータに基づいて記録媒体１０にバーコード１１をプリントすることにより、所望の幅寸法Ｗｏを有する複数のバーからなるバーコード１１が得られる。
【００１８】
以上のように、本実施形態では、記録媒体１０のタイプとインクのタイプとに依存するにじみ太り率に応じてプリントデータを補正し、補正されたプリントデータに基づいて記録媒体１０にバーコード１１をプリントすることにより、インクのにじみ太りの影響を補償して、所望の幅寸法を有する複数のバーからなるバーコードを得ることができる。換言すれば、本実施形態では、誤読が発生し難く読取率の高いバーコードを所望の品位でプリントすることができる。
【００１９】
なお、上述の実施形態では、バーコードのプリントに対して本発明を適用しているが、これに限定されることなく、二次元コードなどの適当な情報のプリントに対しても本発明を適用することができる。
【００２０】
【発明の効果】
以上説明したように、本発明では、たとえば記録媒体のタイプとインクのタイプとに依存するにじみ太り率に応じてプリントデータを補正し、補正されたプリントデータに基づいて記録媒体にバーコードをプリントすることにより、インクのにじみ太りの影響を補償して、所望の幅寸法を有する複数のバーからなるバーコードを得ることができる。すなわち、本発明では、たとえば誤読が発生し難く読取率の高いバーコードを所望の品位でプリントすることができる。
【図面の簡単な説明】
【図１】本発明の実施形態にかかるインクジェットプリントシステムの構成を概略的に示す図である。
【図２】図１のシステムを構成する情報処理装置が有するテーブルの内容を概略的に示す図である。
【図３】本実施形態の基本的な作用を説明する図である。
【図４】バーコードにおけるインクのにじみ太りの影響を模式的に説明する図である。
【符号の説明】
１  インクジェットプリンタ
２  情報処理装置（パーソナルコンピュータ）
３  テーブル
１０  記録媒体（上質紙）
１１  バーコード
【図１】
2004291401.tif 000003
【図２】
2004291401.tif 000004
【図３】
2004291401.tif 000005
【図４】
2004291401.tif 000006